(57)【要約】【課題】ミラー厚みを上げることなく、簡単な機構で共振周波数を上げて長尺ミラーを使用する装置の加振源の加振周波数を避けることができる長尺ミラーの支持機構。【解決手段】幅が狭く長さの長い長尺ミラー１の支持機構であって、反射面２に直角方向に３点以上の支持点（Ｘ１、Ｘ２、Ｘ３）で支持し、反射面２に平行方向に２点以上の支持点（Ｙ１、Ｙ２）で支持する長尺ミラー１の支持機構において、反射面２に直角方向又は平行方向の支持点の中の少なくとも１点（Ｙ２）が長尺ミラー２の長手方向端部近傍ではない位置に配置されている長尺ミラーの支持機構。【選択図】　　　　図１
2004029294.tif 000002
【特許請求の範囲】
【請求項１】
幅が狭く長さの長い長尺ミラーの支持機構であって、反射面に直角方向に３点以上の支持点で支持し、反射面に平行方向に２点以上の支持点で支持する長尺ミラーの支持機構において、
反射面に直角方向又は平行方向の支持点の中の少なくとも１点が長尺ミラーの長手方向端部近傍ではない位置に配置されていることを特徴とする長尺ミラーの支持機構。
【請求項２】
反射面に直角方向に支持する点が３点で、反射面に平行方向に支持する点が２点からなり、反射面に直角方向に支持する２点と反射面に平行方向に支持する１点とが長手方向一端近傍ではない位置に配置され、反射面に直角方向に支持する残りの１点と反射面に平行方向に支持する残りの１点とが長手方向他端近傍ではない位置に配置されていることを特徴とする請求項１記載の長尺ミラーの支持機構。
【請求項３】
反射面に直角方向に支持する２点と反射面に平行方向に支持する１点との配置位置の長尺ミラーの長手方向一端からの距離をａ、反射面に直角方向に支持する残りの１点と反射面に平行方向に支持する残りの１点との配置位置の長尺ミラーの長手方向他端からの距離をａ、長尺ミラーの長手方向の長さをＬとするとき、
2004029294.tif 000003
を満足することを特徴とする請求項２記載の長尺ミラーの支持機構。
【請求項４】
反射面に直角方向の支持点は長手方向端部近傍に配置され、反射面に平行方向に支持する支持点の少なくとも１点が長尺ミラーの長手方向端部近傍ではない位置に配置されていることを特徴とする請求項１記載の長尺ミラーの支持機構。
【請求項５】
反射面に直角方向に支持する点が３点で、反射面に平行方向に支持する点が２点からなり、反射面に直角方向に支持する２点が長手方向一端近傍に配置され、反射面に直角方向に支持する残りの１点が長手方向他端近傍に配置され、反射面に平行方向に支持する１点が長手方向一端近傍ではない位置に配置され、反射面に平行方向に支持する残りの１点が長手方向他端近傍ではない位置に配置されていることを特徴とする請求項４記載の長尺ミラーの支持機構。
【請求項６】
長手方向一端近傍の反射面に直角方向に支持する２点の配置位置と長手方向他端近傍の反射面に直角方向に支持する残りの１点の配置位置との間の長尺ミラー長手方向の距離をＬ’とし、長手方向一端近傍の反射面に直角方向に支持する２点の配置位置と反射面に平行方向に支持する１点との配置位置と間の長尺ミラー長手方向の距離をａ’、長手方向他端近傍の反射面に直角方向に支持する残りの１点の配置位置と反射面に平行方向に支持する残りの１点との配置位置と間の長尺ミラー長手方向の距離をａ’とするとき、
2004029294.tif 000004
を満足することを特徴とする請求項５記載の長尺ミラーの支持機構。
【請求項７】
反射面に平行方向に支持する２個の支持点各々に対向して長尺ミラーの反対側に配置するバネ押圧部を、長手方向両端近傍に配置することを特徴とする請求項５又は６記載の長尺ミラーの支持機構。
【請求項８】
長手方向一端近傍の反射面に直角方向に支持する２個の支持点各々に対向して長尺ミラーの反対側に配置するバネ押圧部と、反射面に平行方向に支持する１個の支持点に対向して長尺ミラーの反対側であって長手方向一端近傍に配置するバネ押圧部とが一体化され、長手方向他端近傍の反射面に直角方向に支持する残りの１個の支持点に対向して長尺ミラーの反対側に配置するバネ押圧部と、反射面に平行方向に支持する残りの１個の支持点に対向して長尺ミラーの反対側であって長手方向他端近傍に配置するバネ押圧部とが一体化されていることを特徴とする請求項７記載の長尺ミラーの支持機構。
【請求項９】
反射面に直角方向に支持する点が３点で、反射面に平行方向に支持する点が２点からなり、反射面に直角方向に支持する１点が長手方向一端近傍に、反射面に直角方向に支持する他の１点が長手方向他端近傍に、反射面に直角方向に支持する残りの１点が長手方向中央近傍に配置され、反射面に平行方向に支持する１点が長手方向一端近傍ではない位置であって、反射面に直角方向に支持する点とは長手方向において異なる位置に配置され、反射面に平行方向に支持する残りの１点が長手方向他端近傍ではない位置であって、反射面に直角方向に支持する点とは長手方向において異なる位置に配置されていることを特徴とする請求項１記載の長尺ミラーの支持機構。
【請求項１０】
長尺ミラーはその長手方向両端近傍に配置した制限部材間で長手方向に移動可能に取り付けられていることを特徴とする請求項１から９の何れか１項記載の長尺ミラーの支持機構。
【請求項１１】
長尺ミラーはその長手方向両端近傍に配置した制限部材間にバネ変倚力で一方の制限部材に押し付けて固定されていることを特徴とする請求項１から９の何れか１項記載の長尺ミラーの支持機構。
【請求項１２】
反射面に直角方向の支持点が長尺ミラーの裏面に対して行われるように構成され、かつ、前記支持点に対応するバネ押圧部が反射面の前面側に配置されていることを特徴とすることを特徴とする請求項１から１１の何れか１項記載の長尺ミラーの支持機構。
【請求項１３】
請求項１から１２の何れか１項記載の長尺ミラーの支持機構を画像書き込み露光部に用いていることを特徴とする画像形成装置。
【発明の詳細な説明】
【０００１】
【発明の属する技術分野】
本発明は、長尺ミラーの支持機構に係り、特に、画像形成装置等の加振源の加振周波数に同調して振動することのない長尺ミラーの支持機構に関するものである。
【０００２】
【従来の技術】
例えば、レーザービームプリンタ等の画像形成装置の画像書き込み露光部には何枚かの長尺ミラーが用いられている。その例を図１３に示す。紙面の裏面側に配置された不図示の光源からの光ビームは折り返しミラー２１により反射されて図の右斜め下方に折り曲げられ、回転軸１２を中心として回転する回転多面鏡１０の偏向反射鏡１１に入射する光ビームａ１　となり、偏向反射鏡１１で左斜め下方に偏向反射された光ビームａ２　は走査光学系２０を経て折り返しミラー２２で今度は図の右斜め下方に折り曲げられ、次の折り返しミラー２３で今度は図の上方へ折り曲げられ、感光ドラム等の被走査面２５上に入射して、紙面に垂直の走査線を描く（例えば特開平７−１６８１１５号公報）。この例では、折り返しミラー２２、２３は図１３の面に垂直に偏向される光ビームａ２　を反射するために、幅が狭く長さの長い長尺ミラーが用いられる。
【０００３】
このような長尺ミラーの支持機構としては、ミラー長手方向の両端付近で、反射面に直角方向に３点で支持、反射面に平行方向に２点で支持するのが一般的である。図１２にこのような長尺ミラー１の従来の支持機構の１例を示す。図１２（ａ）はその支持機構の全体を示す斜視図、図１２（ｂ）は（ａ）の一端Ａでの断面図、図１２（ｃ）は（ａ）の他端Ｂでの断面図、図１２（ｄ）は（ｂ）の変形を示す一端Ａでの断面図である。
【０００４】
幅が狭く長さの長い長尺ミラー１にはその前面２が反射面となっており、基板５上の支持点Ｙ１とＹ２とが長尺ミラー１の反射面２に接する長手方向の１側面の両端位置に点接触しており、その向かい側の側面の支持点Ｙ１とＹ２に対応する位置を、基板５から立った支柱６と７から伸びている板バネ８と９のバネ押圧部Ｔ１とＴ２がバネ押圧しており、支持点Ｙ１とバネ押圧部Ｔ１の間で長尺ミラー１の一端を反射面２に平行方向に位置決め支持しており、支持点Ｙ２とバネ押圧部Ｔ２の間で長尺ミラー１の他端を反射面２に平行方向に位置決め支持している。
【０００５】
また、長尺ミラー１の反射面２は基板５から立っている支柱３と４にその両端位置でそれぞれもたれ掛かっており、支柱３には長尺ミラー１の反射面２の幅方向の両辺近傍で点接触する支持点Ｘ１とＸ２が設けられ、支柱４には長尺ミラー１の反射面２の幅方向の略中央で点接触する支持点Ｘ３が設けられている。そして、基板５の長尺ミラー１の反射面２とは反対側の裏面２’側に長尺ミラー１の両端に対応して立っている支柱６と７から、それぞれ支持点Ｘ１とＸ２、支持点Ｘ３に対応する位置で拡張性バネＳ１、Ｓ２、Ｓ３が長尺ミラー１の裏面２’に押圧しており、支持点Ｘ１と拡張性バネＳ１の間、及び、支持点Ｘ２と拡張性バネＳ２の間で長尺ミラー１の一端を反射面２に直角方向に位置決め支持しており、支持点Ｘ３と拡張性バネＳ３の間で長尺ミラー１の他端を反射面２に直角方向に位置決め支持している。
【０００６】
なお、図１２（ｄ）に示すように、長尺ミラー１の一端を裏面２’から押圧する拡張性バネを支持点Ｘ１、Ｘ２の数に対応した２個とするのではなく、１個の共通の拡張性バネＳ１２とする場合もある。特に、長尺ミラー１の厚み（反射面２の法線方向の厚み）に対して支持点Ｘ１、Ｘ２間の距離が近い場合には、このように１個の共通の拡張性バネＳ１２で構成することが可能である。
【０００７】
この例のように、従来は、長尺ミラーを支持するのに、ミラー長手方向の両端付近で、反射面に直角方向に３点で支持、反射面に平行方向に２点で支持するのが一般的である。
【０００８】
【発明が解決しようとする課題】
ところで、例えばレーザービームプリンタ等の画像形成装置においては、多数の加振源があり、以上のようにミラー両端で長尺ミラーを支持する支持機構の場合の長尺ミラーの共振周波数は、ミラー厚み及びその材質で決まるため、装置内にある駆動系加振源の加振周波数を避けるように共振周波数（固有周波数）を上げて加振源の加振周波数から離すようにする。そのために、一般には長尺ミラーの厚みを厚くする方法がとられる。
【０００９】
しかしながら、長尺ミラーの厚みを上げることはコストアップにつながる。また、長尺ミラーの加工工程においても、反射面の短辺方向の幅に対してミラー厚みが厚すぎると、カット線を入れて割って長尺ミラーを得ることができなくなり、加工方法が制限され、これもコストアップにつながる。
【００１０】
本発明は従来技術のこのような問題点に鑑みてなされたものであり、その目的は、ミラー厚みを上げることなく、簡単な機構で共振周波数を上げて長尺ミラーを使用する装置の加振源の加振周波数を避けることができる長尺ミラーの支持機構を提供することである。
【００１１】
【課題を解決するための手段】
上記目的を達成する本発明の長尺ミラーの支持機構は、幅が狭く長さの長い長尺ミラーの支持機構であって、反射面に直角方向に３点以上の支持点で支持し、反射面に平行方向に２点以上の支持点で支持する長尺ミラーの支持機構において、
反射面に直角方向又は平行方向の支持点の中の少なくとも１点が長尺ミラーの長手方向端部近傍ではない位置に配置されていることを特徴とするものである。
【００１２】
この場合に、反射面に直角方向に支持する点が３点で、反射面に平行方向に支持する点が２点からなり、反射面に直角方向に支持する２点と反射面に平行方向に支持する１点とが長手方向一端近傍ではない位置に配置され、反射面に直角方向に支持する残りの１点と反射面に平行方向に支持する残りの１点とが長手方向他端近傍ではない位置に配置されているものとすることができる。
【００１３】
その場合に、反射面に直角方向に支持する２点と反射面に平行方向に支持する１点との配置位置の長尺ミラーの長手方向一端からの距離をａ、反射面に直角方向に支持する残りの１点と反射面に平行方向に支持する残りの１点との配置位置の長尺ミラーの長手方向他端からの距離をａ、長尺ミラーの長手方向の長さをＬとするとき、
０．１８≦ａ／Ｌ≦０．２６　　　　　　　　　　　　　　・・・（１）
を満足することが望ましい。
【００１４】
また、反射面に直角方向の支持点は長手方向端部近傍に配置され、反射面に平行方向に支持する支持点の少なくとも１点が長尺ミラーの長手方向端部近傍ではない位置に配置されているものとすることができる。
【００１５】
この場合に、反射面に直角方向に支持する点が３点で、反射面に平行方向に支持する点が２点からなり、反射面に直角方向に支持する２点が長手方向一端近傍に配置され、反射面に直角方向に支持する残りの１点が長手方向他端近傍に配置され、反射面に平行方向に支持する１点が長手方向一端近傍ではない位置に配置され、反射面に平行方向に支持する残りの１点が長手方向他端近傍ではない位置に配置されているものとすることが望ましい。
【００１６】
そして、長手方向一端近傍の反射面に直角方向に支持する２点の配置位置と長手方向他端近傍の反射面に直角方向に支持する残りの１点の配置位置との間の長尺ミラー長手方向の距離をＬ’とし、長手方向一端近傍の反射面に直角方向に支持する２点の配置位置と反射面に平行方向に支持する１点との配置位置と間の長尺ミラー長手方向の距離をａ’、長手方向他端近傍の反射面に直角方向に支持する残りの１点の配置位置と反射面に平行方向に支持する残りの１点との配置位置と間の長尺ミラー長手方向の距離をａ’とするとき、
０．２９≦ａ’／Ｌ’≦０．４　　　　　　　　　　　　　・・・（２）
を満足することが望ましい。
【００１７】
これらにおいて、反射面に平行方向に支持する２個の支持点各々に対向して長尺ミラーの反対側に配置するバネ押圧部を、長手方向両端近傍に配置するようにすることもできる。
【００１８】
そして、長手方向一端近傍の反射面に直角方向に支持する２個の支持点各々に対向して長尺ミラーの反対側に配置するバネ押圧部と、反射面に平行方向に支持する１個の支持点に対向して長尺ミラーの反対側であって長手方向一端近傍に配置するバネ押圧部とが一体化され、長手方向他端近傍の反射面に直角方向に支持する残りの１個の支持点に対向して長尺ミラーの反対側に配置するバネ押圧部と、反射面に平行方向に支持する残りの１個の支持点に対向して長尺ミラーの反対側であって長手方向他端近傍に配置するバネ押圧部とが一体化されていることが望ましい。
【００１９】
また、反射面に直角方向に支持する点が３点で、反射面に平行方向に支持する点が２点からなり、反射面に直角方向に支持する１点が長手方向一端近傍に、反射面に直角方向に支持する他の１点が長手方向他端近傍に、反射面に直角方向に支持する残りの１点が長手方向中央近傍に配置され、反射面に平行方向に支持する１点が長手方向一端近傍ではない位置であって、反射面に直角方向に支持する点とは長手方向において異なる位置に配置され、反射面に平行方向に支持する残りの１点が長手方向他端近傍ではない位置であって、反射面に直角方向に支持する点とは長手方向において異なる位置に配置されているものとすることができる。
【００２０】
また、長尺ミラーはその長手方向両端近傍に配置した制限部材間で長手方向に移動可能に取り付けられているか、あるいは、その制限部材間にバネ変倚力で一方の制限部材に押し付けて固定されているものとすることができる。
【００２１】
また、以上において、反射面に直角方向の支持点が長尺ミラーの裏面に対して行われるように構成され、かつ、その支持点に対応するバネ押圧部が反射面の前面側に配置されているようにしてもよい。
【００２２】
これらの本発明の長尺ミラーの支持機構は、例えば画像形成装置の画像書き込み露光部に用いることが望ましい。
【００２３】
本発明においては、反射面に直角方向又は平行方向の支持点の中の少なくとも１点が長尺ミラーの長手方向端部近傍ではない位置に配置されているので、長尺ミラーの共振周波数を上げて加振源の加振周波数を避け、また、摩擦等により振動の減衰を早めることができる。
【００２４】
【発明の実施の形態】
以下に、本発明の長尺ミラーの支持機構の実施例を説明する。
【００２５】
実施例の説明の前に、今後の説明を容易にするための図面の記号について説明する。図１１は、図１２の従来の長尺ミラーの支持機構を説明するための図であり、図１１（ａ）は長尺ミラー１を反射面２側から見た図、図１１（ｂ）は長尺ミラー１をその裏面２’側から見た図、図１１（ｃ）は（ａ）の断面１を矢印側に見た図、図１１（ｄ）は（ａ）の断面２を矢印側に見た図である。この図１１と図１２を比較して明らかなように、支持点Ｘ１、Ｘ２、Ｘ３、Ｙ１、Ｙ２等は太い直線矢印で示し、その矢印先端が支持点となる。また、バネ押圧部Ｔ１、Ｔ２、Ｓ１、Ｓ２、Ｓ３等はジグザグ矢印で示し、その矢印先端がバネ押圧部となる。さらに、●（黒丸）は支持点Ｘ１、Ｘ２、Ｘ３、Ｙ１、Ｙ２等を垂直に見た図、○（白丸）はバネ押圧部Ｔ１、Ｔ２、Ｓ１、Ｓ２、Ｓ３等を垂直に見た図である。
【００２６】
図１に本発明の第１の実施例の長尺ミラー１の支持機構を示す。図１（ａ）は長尺ミラー１を反射面２側から見た図、図１（ｂ）は長尺ミラー１をその裏面２’側から見た図、図１（ｃ）は（ａ）の断面１を矢印側に見た図、図１（ｄ）は（ａ）の断面２を矢印側に見た図、図１（ｅ）は（ａ）の断面３を矢印側に見た図である。この実施例の基本原理は、長尺ミラー１の反射面２に直角方向では３点Ｘ１、Ｘ２、Ｘ３で支持、反射面２に平行方向では２点Ｙ１、Ｙ２で支持するが、反射面２に直角方向又は平行方向の支持点Ｘ１、Ｘ２、Ｘ３、Ｙ１、Ｙ２の中の少なくとも１点、図の場合は反射面２に平行方向の支持点Ｙ２、を長尺ミラー１の長手方向端部近傍ではない中間の位置に配置して、長尺ミラー１の共振周波数を上げて加振源の加振周波数を避けるようにするものである。なお、本発明において、以下、長手方向端部近傍とは、長尺ミラーの長手方向端面からその長尺ミラーの長手方向長さの５％の距離までの間を意味するものとする。
【００２７】
この実施例を説明すると、幅が狭く長さの長い長尺ミラー１の反射面２に接する長手方向の１側面の一端位置に支持点Ｙ１が点接触しており、また、その同じ側面の他端から中央寄りの位置に別の支持点Ｙ２が点接触しており、支持点Ｙ１、Ｙ２の向かい側の側面の支持点Ｙ１とＹ２に対応する位置をそれぞれバネ押圧部Ｔ１とＴ２がバネ押圧しており、支持点Ｙ１とバネ押圧部Ｔ１の間で長尺ミラー１の一端を反射面２に平行方向に位置決め支持しており、支持点Ｙ２とバネ押圧部Ｔ２の間で長尺ミラー１の他端から中央寄りの位置で反射面２に平行方向に位置決め支持している。
【００２８】
また、長尺ミラー１の反射面２には、その長手方向の支持点Ｙ１が位置する端部位置の短辺方向両辺近傍で支持点Ｘ１とＸ２が点接触しており、また、反対側の端部位置の短辺方向の略中央で支持点Ｘ３が点接触しており、長尺ミラー１の反射面２とは反対側の裏面２’の支持点Ｘ１、Ｘ２、Ｘ３に対応する位置をそれぞれバネ押圧部Ｓ１、Ｓ２、Ｓ３がバネ押圧しており、支持点Ｘ１とバネ押圧部Ｓ１の間、及び、支持点Ｘ２とバネ押圧部Ｓ２の間で長尺ミラー１の一端を反射面２に直角方向に位置決め支持しており、支持点Ｘ３とバネ押圧部Ｓ３の間で長尺ミラー１の他端を反射面２に直角方向に位置決め支持している。
【００２９】
このような構成により、長尺ミラー１の共振周波数を上げることができ、また、摩擦等により振動の減衰を早めることができる効果がある。
【００３０】
図２に本発明の第２の実施例の長尺ミラー１の支持機構を示す。図２（ａ）は長尺ミラー１を反射面２側から見た図、図２（ｂ）は長尺ミラー１をその裏面２’側から見た図、図２（ｃ）は（ａ）の断面１を矢印側に見た図、図２（ｄ）は（ａ）の断面２を矢印側に見た図である。この実施例の基本原理は、長尺ミラー１の反射面２に直角方向では３点Ｘ１、Ｘ２、Ｘ３で支持、反射面２に平行方向では２点Ｙ１、Ｙ２で支持するが、何れの支持点Ｘ１、Ｘ２、Ｘ３、Ｙ１、Ｙ２も長手方向端部近傍ではない中間の２か所の何れかの位置に配置して、長尺ミラー１の共振周波数を上げて加振源の加振周波数を避けるようにするものである。
【００３１】
この実施例を説明すると、幅が狭く長さの長い長尺ミラー１の反射面２に接する長手方向の１側面の一端から中央寄りの距離ａ１の位置に支持点Ｙ１が点接触しており、また、その同じ側面の他端から中央寄りの距離ａ２の位置に別の支持点Ｙ２が点接触しており、支持点Ｙ１、Ｙ２の向かい側の側面の支持点Ｙ１とＹ２に対応する位置をそれぞれバネ押圧部Ｔ１とＴ２がバネ押圧しており、支持点Ｙ１とバネ押圧部Ｔ１の間で長尺ミラー１の一端から中央寄りの位置で反射面２に平行方向に位置決め支持しており、支持点Ｙ２とバネ押圧部Ｔ２の間で長尺ミラー１の他端から中央寄りの位置側で反射面２に平行方向に位置決め支持している。
【００３２】
また、長尺ミラー１の反射面２には、その長手方向の支持点Ｙ１が位置する一端から中央寄りの距離ａ１の位置の短辺方向両辺近傍で支持点Ｘ１とＸ２が点接触しており、また、反対側の端部から中央寄りの距離ａ２の位置の短辺方向の一辺（支持点Ｙ２側の辺）近傍で支持点Ｘ３が点接触しており、長尺ミラー１の反射面２とは反対側の裏面２’の支持点Ｘ１、Ｘ２、Ｘ３に対応する位置をそれぞれバネ押圧部Ｓ１、Ｓ２、Ｓ３がバネ押圧しており、支持点Ｘ１とバネ押圧部Ｓ１の間、及び、支持点Ｘ２とバネ押圧部Ｓ２の間で長尺ミラー１の一端から中央寄りの位置で反射面２に直角方向に位置決め支持しており、支持点Ｘ３とバネ押圧部Ｓ３の間で長尺ミラー１の他端から中央寄りの位置側で反射面２に直角方向に位置決め支持している。
【００３３】
この構成において、長尺ミラー１を矩形として、その長手方向の長さをＬとし、Ｌ＝１８０ｍｍ、短辺方向の幅１０ｍｍ、長尺ミラー１の厚み５ｍｍ、長尺ミラー１の基材のヤング率６３．７ＧＰａ、密度２．５×１０３　ｋｇ／ｍ３　、ポアソン比０．２３とし、ａ１＝ａ２＝ａとした場合の、ａ／Ｌと長尺ミラー１の共振周波数（Ｈｚ）との関係を求めると、図４のようになる。
【００３４】
図４から、ａ／Ｌ＝０．２２近傍に共振周波数のピークがあることが分かる。そして、この図から、少なくとも、
０．１８≦ａ／Ｌ≦０．２６　　　　　　　　　　　　　　・・・（１）
を満足することが、加振源の加振周波数を避ける上で望ましいことが分かる。
【００３５】
このような構成により、長尺ミラー１の共振周波数を上げながら、長尺ミラー１の平面度を損なわずに反射面位置精度を高く保つことができる効果がある。
【００３６】
図３に本発明の第３の実施例の長尺ミラー１の支持機構を示す。図３（ａ）は長尺ミラー１を反射面２側から見た図、図３（ｂ）は長尺ミラー１をその裏面２’側から見た図、図３（ｃ）は（ａ）の断面１を矢印側に見た図、図３（ｄ）は（ａ）の断面２を矢印側に見た図、図３（ｅ）は（ａ）の断面３を矢印側に見た図、図３（ｆ）は（ａ）の断面４を矢印側に見た図である。この実施例の基本原理は、長尺ミラー１の反射面２に直角方向では３点Ｘ１、Ｘ２、Ｘ３で支持、反射面２に平行方向では２点Ｙ１、Ｙ２で支持するが、反射面２に直角方向の支持点Ｘ１、Ｘ２、Ｘ３は長尺ミラー１の長手方向両端近傍に配置し、他方、反射面２に平行方向の支持点Ｙ１、Ｙ２は長尺ミラー１の長手方向端部近傍ではない中間の２か所の何れかの位置に配置して、長尺ミラー１の共振周波数をより上げて加振源の加振周波数を避けるようにするものである。
【００３７】
この実施例を説明すると、長尺ミラー１の反射面２には、その長手方向の一端近傍の短辺方向両辺近傍で支持点Ｘ１とＸ２が点接触しており、また、その長手方向の他端近傍の短辺方向の略中央で支持点Ｘ３が点接触しており、長尺ミラー１の反射面２とは反対側の裏面２’の支持点Ｘ１、Ｘ２、Ｘ３に対応する位置をそれぞれバネ押圧部Ｓ１、Ｓ２、Ｓ３がバネ押圧しており、支持点Ｘ１とバネ押圧部Ｓ１の間、及び、支持点Ｘ２とバネ押圧部Ｓ２の間で長尺ミラー１の一端を反射面２に直角方向に位置決め支持しており、支持点Ｘ３とバネ押圧部Ｓ３の間で長尺ミラー１の他端を反射面２に直角方向に位置決め支持している。
【００３８】
そして、この長尺ミラー１の長手方向の支持点Ｘ１、Ｘ２の位置と支持点Ｘ３の位置との間の距離をＬ’とする。
【００３９】
また、長尺ミラー１の反射面２に接する長手方向の１側面の支持点Ｘ１、Ｘ２の位置から中央寄りの距離ａ１’の位置に支持点Ｙ１が点接触しており、また、その同じ側面の支持点Ｘ３の位置から中央寄りの距離ａ２’の位置に別の支持点Ｙ２が点接触しており、支持点Ｙ１、Ｙ２の向かい側の側面の支持点Ｙ１とＹ２に対応する位置をそれぞれバネ押圧部Ｔ１とＴ２がバネ押圧しており、支持点Ｙ１とバネ押圧部Ｔ１の間で長尺ミラー１の一端から中央寄りの位置で反射面２に平行方向に位置決め支持しており、支持点Ｙ２とバネ押圧部Ｔ２の間で長尺ミラー１の他端から中央寄りの位置側で反射面２に平行方向に位置決め支持している。
【００４０】
この構成において、長尺ミラー１を矩形として、Ｌ’＝１８０ｍｍ、短辺方向の幅１０ｍｍ、長尺ミラー１の厚み５ｍｍ、長尺ミラー１の基材のヤング率６３．７ＧＰａ、密度２．５×１０３　ｋｇ／ｍ３　、ポアソン比０．２３とし、ａ１’＝ａ２’＝ａ’とした場合の、ａ’／Ｌ’と長尺ミラー１の共振周波数（Ｈｚ）との関係を求めると、図５のようになる。
【００４１】
図５から、ａ’／Ｌ’＝０．３３近傍に共振周波数のピークがあることが分かる。そして、この図から、少なくとも、
０．２９≦ａ’／Ｌ’≦０．４　　　　　　　　　　　　　・・・（２）
を満足することが、加振源の加振周波数を避ける上で望ましいことが分かる。
【００４２】
このような構成により、反射面２の支持点をミラー端部に配置することで、長尺ミラー１を支持するための支持部材で反射面を遮ることなく反射面２を容易に受けることができ、かつ、共振周波数を上げるか、あるいは、摩擦等により減衰を早めることができる効果がある。
【００４３】
以上の実施例は何れも、バネ押圧部Ｓ１、Ｓ２、Ｓ３、Ｔ１、Ｔ２は何れも対応する支持点Ｘ１、Ｘ２、Ｘ３、Ｙ１、Ｙ２に対向した対応位置に設けてある。しかし、図６に示す本発明の第４の実施例の長尺ミラー１の支持機構においては、反射面２に平行方向に位置決め支持している支持点Ｙ１、Ｙ２に対応するバネ押圧部Ｔ１、Ｔ２は対応する対向位置には設けず、長手方向端部近傍のバネ押圧部Ｓ１とＳ２、Ｓ３の位置に設けている。
【００４４】
この実施例を示す図６（ａ）は長尺ミラー１を反射面２側から見た図、図６（ｂ）は長尺ミラー１をその裏面２’側から見た図、図６（ｃ）は（ａ）の断面１を矢印側に見た図、図６（ｄ）は（ａ）の断面２を矢印側に見た図、図６（ｅ）は（ａ）の断面３を矢印側に見た図、図６（ｆ）は（ａ）の断面４を矢印側に見た図である。この実施例の支持点Ｘ１、Ｘ２、Ｘ３、Ｙ１、Ｙ２の位置は図３の実施例と同じであり、バネ押圧部Ｓ１、Ｓ２、Ｓ３も図３の実施例と同じである。そして、支持点Ｙ１、Ｙ２に対応するバネ押圧部Ｔ１、Ｔ２は、長尺ミラー１の長手方向両端部近傍のそれぞれバネ押圧部Ｓ１とＳ２、バネ押圧部Ｓ３と同じ位置の支持点Ｙ１、Ｙ２に対向する側面端部近傍に設けており、支持点Ｙ１とそれから距離ａ１’ずれた端部のバネ押圧部Ｔ１の間で長尺ミラー１の一端を反射面２に平行方向に位置決め支持しており、支持点Ｙ２とそれから距離ａ１’ずれた端部のバネ押圧部Ｔ２の間で長尺ミラー１の他端を反射面２に平行方向に位置決め支持している。
【００４５】
この実施例においては、バネ押圧部Ｓ１、Ｓ２、Ｓ３、Ｔ１、Ｔ２を全て長尺ミラー１の長手方向両端に配置できるので、反射面２に直角方向と平行方向のバネ押圧部材を各端部で一体化でき部品点数が減らせるメリットがある。
【００４６】
この実施例においても、ａ’／Ｌ’と長尺ミラー１の共振周波数（Ｈｚ）との関係は図５と同様になり、ａ’／Ｌ’＝０．３３近傍に共振周波数のピークがある。そして、式（２）を満足することが、加振源の加振周波数を避ける上で望ましい。
【００４７】
このような構成により、反射面２の支持点をミラー端部に配置することで、長尺ミラー１を支持するための支持部材で反射面を遮ることなく反射面２を容易に受けながら、平面度を損なうことなく長尺ミラー１を支持し、共振周波数を上げることができる効果がある。
【００４８】
図７に本発明の第５の実施例の長尺ミラー１の支持機構を示す。図７（ａ）は長尺ミラー１を反射面２側から見た図、図７（ｂ）は長尺ミラー１をその裏面２’側から見た図、図７（ｃ）は（ａ）の断面１、断面５を矢印側に見た図、図７（ｄ）は（ａ）の断面２、断面４を矢印側に見た図、図７（ｅ）は（ａ）の断面３を矢印側に見た図である。この実施例の基本原理は、長尺ミラー１の反射面２に直角方向では３点Ｘ１、Ｘ２、Ｘ３で支持、反射面２に平行方向では２点Ｙ１、Ｙ２で支持するが、反射面２に直角方向の支持点Ｘ１、Ｘ３は長尺ミラー１の長手方向両端近傍に配置し、反射面２に直角方向の支持点Ｘ２は長尺ミラー１の長手方向中央近傍に配置し、反射面２に平行方向の支持点Ｙ１、Ｙ２は長尺ミラー１の長手方向端部近傍ではない中間の２か所に配置し、しかも、全ての支持点Ｘ１、Ｘ２、Ｘ３、Ｙ１、Ｙ２の長尺ミラー１の長手方向の位置を異ならせて５つの位置で支持するようにして、長尺ミラー１の共振周波数をより上げて加振源の加振周波数を避けるようにするものである。
【００４９】
この実施例を説明すると、幅が狭く長さの長い長尺ミラー１の反射面２に接する長手方向の１側面の一端から約１／４の位置に支持点Ｙ１が点接触しており、また、その同じ側面の他端から約１／４の位置に支持点Ｙ２が点接触しており、支持点Ｙ１、Ｙ２の向かい側の側面の支持点Ｙ１とＹ２に対応する位置をそれぞれバネ押圧部Ｔ１とＴ２がバネ押圧しており、支持点Ｙ１とバネ押圧部Ｔ１の間で長尺ミラー１の一端から中央寄りの位置で反射面２に平行方向に位置決め支持しており、支持点Ｙ２とバネ押圧部Ｔ２の間で長尺ミラー１の他端から中央寄りの位置側で反射面２に平行方向に位置決め支持している。
【００５０】
また、長尺ミラー１の反射面２には、その長手方向の一端近傍の短辺方向一辺近傍で支持点Ｘ１が点接触しており、他端近傍の短辺方向一辺近傍で支持点Ｘ３が点接触しており、その長手方向の略中央の短辺方向他辺近傍で支持点Ｘ２が点接触しており、長尺ミラー１の反射面２とは反対側の裏面２’の支持点Ｘ１、Ｘ２、Ｘ３に対応する位置をそれぞれバネ押圧部Ｓ１、Ｓ２、Ｓ３がバネ押圧しており、支持点Ｘ１とバネ押圧部Ｓ１の間、支持点Ｘ２とバネ押圧部Ｓ２の間、及び、支持点Ｘ３とバネ押圧部Ｓ３の間で長尺ミラー１のそれぞれ一端、中央、他端で反射面２に直角方向に位置決め支持している。
【００５１】
このような構成により、共振周波数を最も高く上げることができる効果がある。
【００５２】
さて、本発明の上記のような長尺ミラー１の支持機構において、長尺ミラー１の長手方向両端での長尺ミラー１の固定方法あるいは取り付け方法については触れてこなかったが、図１２（ａ）と同様な従来の長尺ミラー１の支持機構の図を用いて、その固定方法あるいは取り付け方法の例を説明する。図８（ａ）はその支持機構の全体を示す斜視図であり、この図においては、本発明に基づいて、長尺ミラー１の反射面２に直角方向の支持点Ｘ１、Ｘ２、Ｘ３、反射面２に平行方向の支持点Ｙ１、Ｙ２の何れかが長尺ミラーの長手方向端部近傍ではない位置に図示上は配置されてはいないが、本発明に基づいて、その中の少なくとも１点が長尺ミラー１の長手方向端部近傍ではない位置に配置されるものとする。
【００５３】
このような構成において、長尺ミラー１を長手方向に固定するには、図８（ｂ）に示すように、制限部材３１と３３の間に拡張性バネ３５と長尺ミラー１を介在させて拡張性バネ３５の変倚力で一方の制限部材３１へ長尺ミラー１を長手方向に押し付けて移動しないように固定すればよい。あるいは、図８（ｃ）に示すように、単に制限部材３２と３４の間に自由に落とし込んである程度長手方向に移動可能に取り付けるようにしても、支持点Ｘ１、Ｘ２、Ｘ３により反射面２の面精度は保たれるので問題はない。なお、図８（ｂ）、（ｃ）は図８（ａ）の太い矢印方向に長尺ミラー１を見た図である。
【００５４】
以上の説明において、長尺ミラー１の反射面２に直角方向の支持点Ｘ１、Ｘ２、Ｘ３については、反射面２の前面に接触して３点支持により面出しするものとしていたが、これら支持点Ｘ１、Ｘ２、Ｘ３を長尺ミラー１の裏面２’に接触するようにし、反射面２の前面にはこれら支持点Ｘ１、Ｘ２、Ｘ３に対応するバネ押圧部を接触させ、そのバネ押圧部により反射面２に直角方向にバネ押圧するように構成してもよい。その例を図９の斜視図に示す。この配置においては、基板５上の長尺ミラー１の両端から中央寄りの２つの位置に配置された支持点Ｙ１、Ｙ２により反射面２に平行方向に支持されており、その支持点Ｙ１、Ｙ２の向かい側の側面の支持点Ｙ１とＹ２に対応する位置をそれぞれ板バネ８’、９’のバネ押圧部Ｔ１、Ｔ２がバネ押圧している。長尺ミラー１の裏面２’は基板５から立っている支柱３と４にその両端位置でそれぞれもたれ掛かっており、支柱３には長尺ミラー１の裏面２’の幅方向の両辺近傍で点接触する支持点Ｘ１とＸ２が設けられ、支柱４には長尺ミラー１の裏面２’の幅方向の略中央で点接触する支持点Ｘ３（図９では見えない）が設けられている。そして、長尺ミラー１の反射面２の支持点Ｘ１とＸ２に対応する１つの位置を板バネ８のバネ押圧部Ｓ１２（図１２（ｄ）参照）がバネ押圧しており、また、反射面２の支持点Ｘ３に対応する位置を板バネ９のバネ押圧部Ｓ３バネ押圧している。なお、板バネ８と８’は支柱３に、また、板バネ９と９’は支柱４にその一端が取り付けられ、バネ押圧部Ｓ１２が支持点Ｘ１とＸ２に対して、また、バネ押圧部Ｓ３が支持点Ｘ３に対して押圧するようになっており、そのため、板バネ８と９は長尺ミラー１を裏面２’側から抱え込むような形状に形成されている。
【００５５】
次に、支持点Ｘ１、Ｘ２、Ｘ３、Ｙ１、Ｙ２等、バネ押圧部Ｓ１、Ｓ２、Ｓ３、Ｓ１２、Ｔ１、Ｔ２等の具体的構成について例示する。反射面２、裏面２’に接触する支持点Ｘ１、Ｘ２、Ｘ３等については、図１２、図９に示すように、基板５から立つ支柱３、４に設けられた点接触する支持点からなっていてもよく、あるい、図１０に断面を示すように、基板５側の支持点Ｘ２は基板５に直接設けた支持点からなり、基板５から離れる側の支持点Ｘ１は長尺ミラー１を裏面２’側から抱え込むように裏面２側の支柱３頭部に取り付けた支持部材３６の先端を支持点としてもよい。また、バネ押圧部Ｓ１、Ｓ２、Ｓ３、Ｓ１２、Ｔ１、Ｔ２等は図８、図９、図１２に示すように、板バネ８、９、８’、９’のように一部を板バネで構成してもよいが、図１０に示すように、全てを拡張性バネ（螺旋バネ）で構成することもできる。
【００５６】
以上、本発明の長尺ミラーの支持機構を実施例に基づいて説明してきたが、本発明はこれらに限定されず、種々の変形が可能である。また、本発明の長尺ミラーの支持機構は、図１３に例示したようなレーザービームプリンタ等の画像形成装置の画像書き込み露光部以外に種々の用途、特に加振源を持つ装置の長尺ミラーの支持機構に適用することができる。
【００５７】
【発明の効果】
以上の説明から明らかなように、本発明の長尺ミラーの支持機構によると、反射面に直角方向又は平行方向の支持点の中の少なくとも１点が長尺ミラーの長手方向端部近傍ではない位置に配置されているので、長尺ミラーの共振周波数を上げて加振源の加振周波数を避け、また、摩擦等により振動の減衰を早めることができる。
【図面の簡単な説明】
【図１】本発明の第１の実施例の長尺ミラーの支持機構を示す図である。
【図２】本発明の第２の実施例の長尺ミラーの支持機構を示す図である。
【図３】本発明の第３の実施例の長尺ミラーの支持機構を示す図である。
【図４】第２の実施例の共振周波数特性を示す図である。
【図５】第３の実施例の共振周波数特性を示す図である。
【図６】本発明の第４の実施例の長尺ミラーの支持機構を示す図である。
【図７】本発明の第５の実施例の長尺ミラーの支持機構を示す図である。
【図８】本発明の長尺ミラーの支持機構における長尺ミラーの長手方向の固定方法、取り付け方法の例を説明するための図である。
【図９】本発明の長尺ミラーの支持機構の変形例を示す斜視図である。
【図１０】本発明における支持点、バネ押圧部の構成について例示するための図である。
【図１１】本発明の実施例の説明に用いる記号を図１２に基づいて説明するするための図である。
【図１２】従来の長尺ミラーの支持機構の１例を説明するための図である。
【図１３】本発明の長尺ミラーの支持機構が適用可能な画像形成装置の画像書き込み露光部の構成例を説明するための図である。
【符号の説明】
１…長尺ミラー
２…長尺ミラーの前面（反射面）
２’…長尺ミラーの裏面
３、４、６、７…支柱
５…基板
８、９、８’、９’…板バネ
１０…回転多面鏡
１１…偏向反射鏡
１２…回転軸
２０…走査光学系
２１、２２、２３…折り返しミラー
２５…被走査面
３１、３２、３３、３４…制限部材
３５…拡張性バネ
３６…支持部材
ａ１　、ａ２　…光ビーム
Ｘ１、Ｘ２、Ｘ３、Ｙ１、Ｙ２…支持点
Ｓ１、Ｓ２、Ｓ３、Ｓ１２…拡張性バネ（バネ押圧部）
Ｔ１、Ｔ２…バネ押圧部
【図１】
2004029294.tif 000005
【図２】
2004029294.tif 000006
【図３】
2004029294.tif 000007
【図４】
2004029294.tif 000008
【図５】
2004029294.tif 000009
【図６】
2004029294.tif 000010
【図７】
2004029294.tif 000011
【図８】
2004029294.tif 000012
【図９】
2004029294.tif 000013
【図１０】
2004029294.tif 000014
【図１１】
2004029294.tif 000015
【図１２】
2004029294.tif 000016
【図１３】
2004029294.tif 000017